(57)【要約】  エレベータシステムのベルト端部を支持・固定する端末アセンブリは、エレベータシステムの所定の位置に取り付けられた第１支持部材を含む。１つの実施例の第２支持部材は、第１支持部材上に少なくとも部分的に収容される。第１支持部材は、該第１支持部材の本体から外側へ向かって延びた、少なくとも１つのストッパ部を備える。第２支持部材は、該第２支持部材の内部から内側に向かって延びた、少なくとも１つのストッパ部を含む。１つの実施例においてはインサートである、複数の動作リミッタが、上記第１・第２支持部材間の相対回転運動を制限するようにストッパ部の間に収容される。耐荷重部材は、第２支持部材の外部周りに収容され、該外部の所定の位置に固定される。
2005511450.tif 000002
【特許請求の範囲】
【請求項１】
少なくとも１つの第１のストッパ部を備えかつ静止した第１支持部材と、
耐荷重部材の一部分を収容しかつ少なくとも１つの第２のストッパ部を備えた、第２支持部材と、
上記第１・第２支持部材間の相対運動を制限するように上記ストッパ部と協働する、複数の動作リミッタと、
を備えた、エレベータシステムの耐荷重部材の端末部を固定するアセンブリ。
【請求項２】
上記動作リミッタが上記第１・第２支持部材の間に収容されたインサートを含み、かつ、上記第１・第２支持部材の間に上記インサートが保持されるように、少なくとも１つの支持部材における対向する端部に受け取られるカバー部材を備えた、請求項１に記載のエレベータシステムの耐荷重部材の端末部を固定するアセンブリ。
【請求項３】
上記第１支持部材上の複数の第１のストッパ部と、上記第２支持部材上の複数の第２のストッパ部と、を備え、各第１のストッパ部と隣接の第２のストッパ部との間に少なくとも１つの動作リミッタが付加されていることを特徴とする請求項１に記載のエレベータシステムの耐荷重部材の端末部を固定するアセンブリ。
【請求項４】
上記動作リミッタは、弾性的に圧縮可能な材料を含むことを特徴とする請求項１に記載のエレベータシステムの耐荷重部材の端末部を固定するアセンブリ。
【請求項５】
上記第１・第２支持部材が同軸上に配置され、かつ、上記動作リミッタが、上記第１支持部材に対し上記第２支持部材を支持するインサートを含むことを特徴とする請求項１に記載のエレベータシステムの耐荷重部材の端末部を固定するアセンブリ。
【請求項６】
複数の第２支持部材と該第２支持部材の各々に接続した各複数の動作リミッタとを備え、該第２支持部材の各々は、上記第１支持部材に対して独立に移動可能であることを特徴とする請求項１に記載のエレベータシステムの耐荷重部材の端末部を固定するアセンブリ。
【請求項７】
上記動作リミッタは、上記第１・第２支持部材の間にインサートを備え、かつ、各々の第２支持部材と第１支持部材との間に各インサートを保持するように、各第２支持部材の各端部に設けられた第１・第２のカバー部材を備えた、請求項６に記載のエレベータシステムの耐荷重部材の端末部を固定するアセンブリ。
【請求項８】
上記第２支持部材は、少なくとも上記耐荷重部材の端部を収容するよう適合した開口部を含むことを特徴とする請求項１に記載のエレベータシステムの耐荷重部材の端末部を固定するアセンブリ。
【請求項９】
かごと、
端部を備えかつ上記かごを支持するために上記かごに接続された、少なくとも１つの耐荷重部材と、
少なくとも１つのストッパ部を備えかつ選択された位置に固定された、第１支持部材と、
上記耐荷重部材の一部分が巻き付けられ、かつ少なくとも１つの第２のストッパ部を備えた、第２支持部材と、
上記第１・第２支持部材の間の相対運動を制限するように上記ストッパ部と協働する、複数の動作リミッタと、
を備えたエレベータシステム。
【請求項１０】
上記第１・第２支持部材の間に上記インサートを保持するように、上記第２支持部材の対向した長手方向の端部に受け取られるカバー部材を備えた、請求項９に記載のアセンブリ。
【請求項１１】
上記第１支持部材上の複数の第１のストッパ部と、上記第２支持部材上の複数の第２のストッパ部と、を備え、かつ、各第１のストッパ部と隣接した第２のストッパ部との間に少なくとも１つのインサートが付加されていることを特徴とする、請求項９に記載のアセンブリ。
【請求項１２】
上記インサートは、圧縮可能な材料を含むことを特徴とする請求項１１に記載のアセンブリ。
【請求項１３】
上記第１支持部材は、長手方向の軸に沿って延びた本体と、この本体から外側に向かって延びた上記第１のストッパ部とを備え、
上記第２支持部材は、上記第１支持部材が少なくとも部分的に収容されかつ上記第２のストッパ部が内側に向かって延びた、内部を備え、かつ、
上記動作リミッタは、上記第１・第２支持部材の間に収容されたインサートを含むことを特徴とする、請求項９に記載のアセンブリ。
【請求項１４】
複数の第２支持部材と、各第２支持部材に接続した複数のインサートと、を備え、かつ、上記第２支持部材の各々は、上記第１支持部材に対して独立に移動可能であることを特徴とする請求項１３に記載のアセンブリ。
【請求項１５】
上記各第２支持部材と上記第１支持部材との間の上記各インサートを保持するように各第２支持部材の長手方向の各端部に第１・第２のカバー部材を備えた請求項１４に記載のアセンブリ。
【請求項１６】
上記第１支持部材上に支持されたスペーサを含み、かつ、上記スペーサは隣接する上記第２支持部材に関連した互いに隣接するカバー部材の間に設けられることを特徴とする請求項１５に記載のアセンブリ。
【請求項１７】
上記第２支持部材は、少なくとも、上記耐荷重部材の端部が収容される開口部を備えることを特徴とする請求項９に記載のアセンブリ。
【請求項１８】
上記耐荷重部材の端部付近に位置しかつ上記第２支持部材の内部に上記耐荷重部材を接続する、クランプ部材を備え、かつ、上記耐荷重部材の上記端部付近に設けられた上記動作リミッタの１つが、上記クランプ部材を少なくとも部分的に収容する切取部分を含むことを特徴とする請求項９に記載のアセンブリ。
【請求項１９】
上記第１支持部材は、上記エレベータシステムの選択された部分に固定された端部を備えたスチールロッドを含むことを特徴とする請求項９に記載のアセンブリ。
【請求項２０】
上記第１のストッパ部は上記スチールロッドに堅固に固定されたスチールプレートを含み、かつ、上記第２支持部材はスチールシリンダを含み、かつ、上記第２のストッパ部は上記スチールシリンダの内部に堅固に固定されたスチールプレートを含むことを特徴とする請求項１９に記載のシステム。
【発明の詳細な説明】
【技術分野】
【０００１】
本発明は、一般に、エレベータシステムの耐荷重部材の端末支持用のアセンブリに関する。
【背景技術】
【０００２】
エレベータシステムは、例えば、建物内の様々な階床や高度の間で乗客や荷物を運ぶために、建物内の乗り場間を移動するかごを通常含む。多くのエレベータシステムは、かごの移動に伴って移動する釣り合いおもりを含む。かごと釣り合いおもりを要求通りに移動させる種々の駆動機構が知られている。
【０００３】
多くの場合、耐荷重部材は、かごを釣り合いおもりに接続する。耐荷重部材は、その構成によってロープやベルトと通常呼ばれる。かごが種々の乗り場間を移動する時は、耐荷重部材はシーブ上を走行する。
【発明の開示】
【発明が解決しようとする課題】
【０００４】
エレベータシステム設計者が直面する１つの問題は、耐荷重部材の端末の適切な固定・支持方法である。従来技術は、耐荷重部材の端末をソケットとウェッジとの間で締め付けるソケット・ウェッジ端末アセンブリの使用を含む。回転デッドエンドヒッチは、エレベータシステム運転中における端末アセンブリの必要な角移動を吸収するために通常備え付けられる。多くの構成においては、複数の耐荷重部材（すなわち、複数のベルト）が使用され、スプリングサポートが、例えば、所定のモーメントにおける異なった耐荷重部材に掛かる変動荷重を吸収するために通常必要となる。
【０００５】
従来の構成に、欠点や短所が無いわけではない。従来のソケット・ウェッジ端末アセンブリの１つの欠点は、上記アセンブリの製造に関連したコストである。例えば、ソケットは、費用がかさみがちな鋳造工程を用いて通常作られる。さらに、安全確実な構成に要求される所定の公差レベルに適合させようとすると、製造工程に複雑さとコストを付加することになる。従来の構成のもう１つの短所は、エレベータシステムの実装が制約されている貴重なスペースを占有することである。従来の構成に通常要求された垂直方向のスペースの大きさは、過剰であるとよくみなされる。
【０００６】
従来の構成に比べ、より経済的で、より省スペースなベルト端末アセンブリの改良が要求されている。本発明は、従来の設計に関連した短所や欠点を回避しつつ上記要求に対処するものである。
【課題を解決するための手段】
【０００７】
一般に、本発明は、エレベータシステムの耐荷重部材、例えばベルト、の端末を支持するアセンブリに関する。
【０００８】
本発明により設計されたアセンブリは、少なくとも１つのストッパ部を備えた第１支持部材を含む。この第１支持部材は、エレベータシステムの適切な位置に堅固に取り付けられる。
【０００９】
第２支持部材は、上記第１支持部材に関連して収容される。上記第２支持部材は、耐荷重部材の一部分を支持する。望ましくは、少なくとも１つのストッパ部が上記第２支持部材に設けられる。
【００１０】
複数の動作リミッタが、上記ストッパ部と協働し、上記第１・第２支持部材間の相対運動を制限する。１つの実施例として、上記動作リミッタがポリウレタン材料を用いて作られる。
【００１１】
本発明のアセンブリの態様の一例として、上記第２支持部材の対向する長手方向の端面に設けられたカバー部材を含む。上記カバー部材は、上記第１・第２支持部材間に上記動作リミッタを保持する。また、望ましくは、上記カバー部材は、段部表面が上記第２支持部材上の耐荷重部材を整列できるよう十分な長さで半径方向に延びる。
【００１２】
複数の耐荷重部材を収容するために複数の第２支持部材が備え付けられる構成においては、上記カバー間の軸方向の間隔を要望通り保持し、かつ、個々の第２支持部材がその他の第２支持部材とは独立して対応する第１支持部材に対して移動できるように、スペーサが、隣接し合う第２支持部材の上記カバー間に望ましくは設けられる。
【００１３】
当業者であれば、好適な態様が記載された以下の詳細な説明を参照することにより、本発明の様々な特徴や長所を容易に把握しえよう。
【発明を実施するための最良の形態】
【００１４】
一例としてエレベータシステム２０は、かご２２と釣り合いおもり２４とを含み、これらは、例えば、建物内の乗り場間をかご２２が昇降するように一般的な方法で昇降路２６内を移動する。かご２２は、建物内の異なった乗り場間で乗客や荷物を一般的な方法で運ぶために使用され得る。
【００１５】
耐荷重部材２８は、かご２２を釣り合いおもり２４に接続する。この耐荷重部材２８は、一般的な方法で昇降路２６内に支持されたシーブ３０，３２上を走行する。１つの実施例においては、耐荷重部材は被覆付鋼線ベルトである。本発明の耐荷重部材２８は、様々な形態を取ってもよく、必ずしも被覆付鋼線ベルトのような平ベルトに限定されるわけでない。他のベルトやロープによる構成も本発明の範囲に属するが、本発明の構成は、平ベルト耐荷重部材に特によく適している。
【００１６】
端末アセンブリ４０は、エレベータシステム２０の残りの部分と関連した耐荷重部材２８の端部４２を支持・固定する。上記端末アセンブリ４０は、実施例として細長いスチールロッドが挙げられる、第１支持部材４４を含む。少なくとも１つのストッパ部４６が、上記第１支持部材４４の本体から半径方向外側に延びる。
【００１７】
第１支持部材４４は、望ましくは、所定の位置に堅固に取り付けられる。１つの実施例においては、第１支持部材４４は昇降路に堅固に取り付けられる。もう１つの実施例では、第１支持部材４４は、移動するかご２２に支持される。
【００１８】
少なくとも１つの第２支持部材４８が、該第２支持部材が上記第１支持部材に相対的に移動できるように上記第１支持部材に対して支持される。図示の実施例においては、上記第２支持部材４８は、上記第１支持部材４４上に少なくとも部分的に収容される。図示の実施例においては、複数の第２支持部材４８は、概ね円筒形をなし、上記第１支持部材４４の軸と同軸上に整列する。少なくとも１つのストッパ部５０が、各第２支持部材内部から内側に向かって延びる。上記耐荷重部材２８は、少なくとも部分的に上記第２支持部材４８の外部に収容される（つまり、巻き付けられる）。
【００１９】
本発明により設計されたアセンブリは、少なくとも１つの第２支持部材４８を含む。ほとんどのエレベータシステムは、複数のベルトを含み、従って、エレベータシステム内に上記複数のベルトを収容するため、本発明により設計されたアセンブリは、複数の第２支持部材４８を通常含む。図３に示す実施例の構成は、３つの第２支持部材４８を含む。
【００２０】
複数の動作リミッタ５２が、上記ストッパ部４６，５０と協働し、上記支持部材間の相対運動を制御する。図示の実施例は、上記第１支持部材４４と各第２支持部材４８との間に収容されたインサートである動作リミッタ５２を含む。上記インサートの各々は、望ましくは、上記第１支持部材上のストッパ部４６と上記第２支持部材４８上の隣接したストッパ部５０との間に位置決めされる。上記動作リミッタ５２は、変動可能なばね率を有した圧縮ばねとして望ましくは機能する。動作リミッタ５２のばね率は、上記インサートが圧縮される程、増大するのが望ましい。上記動作リミッタ５２は、上記第２支持部材４８と上記第１支持部材４４との間のある程度の量の相対運動を許容する。
【００２１】
１つの実施例においては、動作リミッタ５２はポリウレタン材料からなる。その他の材料を用いてもよく、上記第１・第２支持部材間の相対運動の所望量に対応する適切な圧縮率を有することで実現できる。本明細書を参照することで、当業者であれば、具体的な構成の要求に合った市販の材料を選択することができよう。
【００２２】
図示の構成においては、２つのストッパ部４６が、上記第１支持部材４４上に正反対の方向に設けられる。同様にして、正反対となる２つのストッパ部５０が、上記第２支持部材４８の各々に設けられる。上記構成の好適な配列は、アセンブリの中心軸回りに約９０°の間隔が置かれたストッパ部を有する。上記の構成においては、４つのインサート５２が、上記ストッパ部の間のスペース内に備え付けられる。上記インサートの各々は、概ねくさび形の断面をなす。望ましくは、図示の実施例の上記インサート５２は、上記第２支持部材４８の全長に沿って軸方向に延びる。同様にして、上記ストッパ部４６，５０は、少なくとも互いに等しい軸方向長さを有することが望ましく、図示の実施例では、上記第２支持部材４８の軸方向長さとも等しい。
【００２３】
図示の実施例では、上記インサート動作リミッタ５２は、上記第１支持部材４４に対して所定の位置に上記第２支持部材４８を支持する。
【００２４】
上記第１支持部材上の少なくとも１つのストッパ部と上記第２支持部材上の少なくとも１つのストッパ部とが、備え付けられるべきである。様々な数のストッパ部が使用可能であり、これらも本発明の範囲内である。もちろん、備え付けられたストッパ部の数は、所要の動作リミッタ５２の数を決定する。
【００２５】
上記ストッパ部４６，５０は、各支持部材の一部として一体的に構成されてもよい。あるいは、ストッパ部４６，５０は、溶接のような一般的な技術を用いて各支持部材の本体に取り付けられてもよい。１つの実施例においては、上記第１支持部材４４がスチールロッドを含み、上記第２支持部材４８がスチールシリンダを含む。
【００２６】
また、上記動作リミッタ５２は、上記支持部材の一部として構成されてもよいし、もしくは上記支持部材の１つに取り付けられてもよい。
【００２７】
各第２支持部材４８は、上記支持部材４８の外部周りに上記耐荷重部材２８の一部を収容する。上記耐荷重部材２８が上記外部周りに少なくとも数回巻き付けられることが望ましく、端末アセンブリ４０に固定された耐荷重部材２８の端部４２を保持する、適切な摩擦接触が付与される。図示の実施例においては、上記第２支持部材４８は、上記耐荷重部材２８の端末部５６が収容されるスロット５４を含む。上記端末部５６の近くで上記耐荷重部材２８と係合する、クランプ５８が、上記第２支持部材４８の内部に設けられる。図示の実施例では、上記スロット５４に最も接近して設けられた上記インサート５２は、上記耐荷重部材２８の上記端末部５６と上記第２支持部材４８の内部のクランプ５８とを収容する切取部分６０を含む。
【００２８】
望ましくは、各第２支持部材４８は、上記第２支持部材４８の長手方向の端面に設けられた、第１のカバー７０と第２のカバー７２とを備える。望ましくは、スペーサ７４が、隣接し合うカバー部材の間、および、最も外側カバーと、上記第１支持部材４４が静止状態を維持するように固定された昇降路内の支持構造７６と、の間、に備え付けられる。上記構造７６は、例えば、昇降路壁の一部分であってもよいし、ガイドレールに接続されていてもよい。
【００２９】
上記スペーサ７４は、個々の第２支持部材４８が互いに独立に回転可能なものとする。収容されるべき上記耐荷重部材２８の所望の線形的な移動量に応じて、上記第１支持部材４４に対する上記第２支持部材の対応する回転移動量が与えられるように、上記インサートの圧縮率が選択される。本明細書に記載の利点を把握した当業者であれば、適切な公差と、所望の移動量を達成するのに必要な上記対応する材料と、を選択することができよう。上記第１支持部材４４に対して独立して移動可能な上記第２支持部材４８の各々を備えることにより、エレベータシステム運転中の異なった時における異なった耐荷重部材２８に掛かる荷重の変化を吸収することを可能にする。
【００３０】
本発明は、従来の構成に比べ顕著な利点を有する。製造にかかるコストや複雑さが低減される。加えて、ベルトの角変位が、回転機構を要する標準的な端末装置に比べより吸収される。さらに、端末アセンブリに要する垂直方向のスペースは、減少し、ほとんどのエレベータシステムの実装制約の下で、本発明の構成をより組み込みやすいものとする。
【００３１】
上述の記載は、本質的に、例示的なものであって制限的なものではない。当業者であれば、本発明の趣旨から逸脱することなく、開示された実施例から変更や改良を容易に想到するであろう。本発明に与えられる法的な保護の範囲は、添付の請求項に基づいて定められる。
【図面の簡単な説明】
【００３２】
【図１】本発明の態様により設計された耐荷重部材端末アセンブリを含んだエレベータシステムの一例を示す概略図。
【図２】本発明の態様により設計された耐荷重部材端末アセンブリの斜視・分解組立図。
【図３】図１の線３−３に沿って破断した断面図。
【図４】図３の線４−４に沿って破断した断面図。
【図１】
2005511450.tif 000003
【図４】
2005511450.tif 000004
【図２】
2005511450.tif 000005
【図３】
2005511450.tif 000006
【手続補正書】
【提出日】平成15年9月3日(2003.9.3)
【手続補正１】
【補正対象書類名】特許請求の範囲
【補正対象項目名】全文
【補正方法】変更
【補正の内容】
【特許請求の範囲】
【請求項１】
静止した第１支持部材（４４）と、耐荷重部材の一部分を収容する第２支持部材（４８）と、を備えたエレベータシステムの耐荷重部材の端末部を固定するアセンブリ（４０）であって、かつ、 
少なくとも１つの第１のストッパ部（４６）を備えた、第１支持部材と、
少なくとも１つの第２のストッパ部（５０）を備えた、第２支持部材と、
上記第１・第２支持部材間の相対運動を制限するように上記ストッパ部と協働する、複数の動作リミッタ（５２）と、
を備えたアセンブリ。
【請求項２】
上記動作リミッタが上記第１・第２支持部材の間に収容されたインサートを含み、かつ、上記第１・第２支持部材の間に上記インサートが保持されるように、少なくとも１つの支持部材における対向する端部に受け取られるカバー部材（７０，７２）を備えた、請求項１に記載のエレベータシステムの耐荷重部材の端末部を固定するアセンブリ。
【請求項３】
上記第１支持部材上の複数の第１のストッパ部と、上記第２支持部材上の複数の第２のストッパ部と、を備え、各第１のストッパ部と隣接の第２のストッパ部との間に少なくとも１つの動作リミッタが付加されていることを特徴とする請求項１に記載のエレベータシステムの耐荷重部材の端末部を固定するアセンブリ。
【請求項４】
上記動作リミッタは、弾性的に圧縮可能な材料を含むことを特徴とする請求項１に記載のエレベータシステムの耐荷重部材の端末部を固定するアセンブリ。
【請求項５】
上記第１・第２支持部材が同軸上に配置され、かつ、上記動作リミッタが、上記第１支持部材に対し上記第２支持部材を支持するインサートを含むことを特徴とする請求項１に記載のエレベータシステムの耐荷重部材の端末部を固定するアセンブリ。
【請求項６】
複数の第２支持部材と該第２支持部材の各々に接続した各複数の動作リミッタとを備え、該第２支持部材の各々は、上記第１支持部材に対して独立に移動可能であることを特徴とする請求項１に記載のエレベータシステムの耐荷重部材の端末部を固定するアセンブリ。
【請求項７】
上記動作リミッタは、上記第１・第２支持部材の間にインサートを備え、かつ、各々の第２支持部材と第１支持部材との間に各インサートを保持するように、各第２支持部材の各端部に設けられた第１・第２のカバー部材を備えた、請求項６に記載のエレベータシステムの耐荷重部材の端末部を固定するアセンブリ。
【請求項８】
上記第２支持部材は、少なくとも上記耐荷重部材の端部を収容するよう適合した開口部（５４）を含むことを特徴とする請求項１に記載のエレベータシステムの耐荷重部材の端末部を固定するアセンブリ。
【請求項９】
かご（２２）と、
端部を備えかつ上記かごを支持するために上記かごに接続された、少なくとも１つの耐荷重部材（２８）と、
上記耐荷重部材の上記端末部（４２）を固定する、請求項１〜８のいずれかに記載のアセンブリと、 
を備えたエレベータシステム（２０）。
【請求項１０】
上記第１支持部材は、長手方向の軸に沿って延びた本体と、この本体から外側に向かって延びた上記第１のストッパ部とを備え、
上記第２支持部材は、上記第１支持部材が少なくとも部分的に収容されかつ上記第２のストッパ部が内側に向かって延びた、内部を備え、かつ、
上記動作リミッタは、上記第１・第２支持部材の間に収容されたインサートを含むことを特徴とする、請求項９に記載のエレベータシステム。
【請求項１１】
上記第１支持部材上に支持されたスペーサ（７４）をさらに含み、かつ、上記スペーサ（７４）は隣接する上記第２支持部材に関連した互いに隣接するカバー部材の間に設けられることを特徴とする請求項９に記載のエレベータシステム。
【請求項１２】
上記耐荷重部材の端部付近に位置しかつ上記第２支持部材の内部に上記耐荷重部材を接続する、クランプ部材（５８）をさらに備え、かつ、上記耐荷重部材の上記端部付近に設けられた上記動作リミッタの１つが、上記クランプ部材を少なくとも部分的に収容する切取部分を含むことを特徴とする請求項９に記載のエレベータシステム。
【請求項１３】
上記第１支持部材は、上記エレベータシステムの選択された部分に固定された端部を備えたロッドを含むことを特徴とする請求項９に記載のエレベータシステム。
【請求項１４】
上記第１のストッパ部は上記ロッドに堅固に固定されたプレートを含み、かつ、上記第２支持部材はシリンダを含み、かつ、上記第２のストッパ部は上記シリンダの内部に堅固に固定されたプレートを含むことを特徴とする請求項１３に記載のエレベータシステム。
【請求項１５】
上記耐荷重部材が、上記第２支持部材の周りに少なくとも１回巻き付けられることを特徴とする請求項９に記載のエレベータシステム。
【国際調査報告】
2005511450.tif 000007
2005511450.tif 000008